(57)【特許請求の範囲】
【請求項１】
ベース成分及び添加材料を備える飲料と、
蓋を受容するための開口及び前記ベース成分を収納するための液体用収納部を備える容器と、
前記添加材料を収納する封止された区画、前記添加材料を放出するための放出機構、及び前記容器の前記開口に取り付けるための取り付け手段とを備える材料放出蓋とを備え、
前記材料放出蓋の前記取り付け手段は、前記飲料が詰められたボトルを形成するために前記容器の前記開口に取り付けられ、
前記ベース成分は真空状態にあって前記容器内に収納され、前記液体用収納部は、前記真空状態のために、ラベルパネル領域の断面形状が故意に変形されてなりさらに前記ベース成分は前記封止された区画内の前記添加材料から切り離されており、前記封止された区画が開放されると、吸引力が高圧力領域である前記材料放出蓋から前記添加材料を外に出し、前記容器内の低圧力領域にて前記ベース成分に流れ込ませるために形成される飲料が詰められたボトル。
【請求項２】
材料放出蓋の封止された区画内に収納された添加材料の、飲料が詰められたボトルの液体用収納部内に収納されている飲料のベース成分の中への放出を向上するための方法であって、
前記請求項１に記載された飲料が詰められたボトルを提供するステップと、
前記添加材料を前記ベース成分に供給するための放出機構を作動するステップと
を備える方法。
【請求項３】
前記請求項１に記載された飲料が詰められたボトルの前記容器に前記真空状態を形成する方法であって、
蓋締めプロセスの間に、前記液体用収納部の外表面に圧縮力を適用するステップを備える方法。
【請求項４】
前記請求項１に記載の飲料が詰められたボトルの前記容器に、充填工場にあって材料放出蓋を取り付けるために構成される容器閉鎖装置であって、
前記容器閉鎖装置は、
容器が前記容器閉鎖装置に入るのを可能にするように構成及び配置される入力部と、
封止される容器を形成するために容器上に材料放出蓋を取り付けるように構成される少なくとも一つの蓋取り付け機構と、
前記少なくとも一つの蓋取り付け機構によって容器上に取り付けられる材料放出蓋を前記容器が受容し保持するのを可能にするために構成及び配置される容器保持装置と、
前記容器上の前記材料放出蓋の取り付けの間、前記容器内部の空間に真空を形成する手段であり、前記真空状態を形成するために蓋締めプロセスの間、前記液体用収納部の外表面に圧縮を提供する手段と、
前記封止された容器が前記容器閉鎖装置から出るのを可能にするために構成及び配置される出口と
を備える装置。
【発明の詳細な説明】
【技術分野】
【０００１】
（米国特許商標庁の受任官庁への特許協力条約出願）
アメリカ合衆国の国民である、私、James Clayton Bellは、以下の複数頁によってなる明細書であり、ある新規及び有益な改良がなされた、収納している飲料への添加成分の放出(release)を向上した材料放出蓋付きのボトル及び前記材料放出蓋付きのボトルからの前記飲料への添加成分の放出を向上する方法並びにその装置を発明した。
【０００２】
（従来の請求及び関連出願）
法によって最大の範囲が認められるところ、本出願は、James Clayton Bell及び出願人のGeorgia Crown Distributing Co. のために、２００８年４月１６日に出願された、米国の非仮出願である、番号12/103,916の、収納している飲料への添加成分の放出を向上した材料放出蓋付きのボトル及び前記材料放出蓋付きのボトルからの前記飲料への添加成分の放出を向上する方法及び装置の、優先権及び利益を主張する。
【０００３】
本出願は、全般的に、飲料が詰められたボトルに関し、さらに、より詳細には、消費者によるボトルの開口により、添加成分が中に入っている区画（compartment）を含む蓋から当該添加成分を飲料が入っているボトルの中に放出するための、飲料が詰められたボトルのようなもの、及び方法並びに同様の装置に関する。
【背景技術】
【０００４】
消費者は食品及び飲料製品の新鮮さにますます注意を払うようになった。その結果、食品及び飲料生産者は、飲料する直前に添加材料を混合させることによってそのような新鮮さを提供するパッケージング（packaging）の方法を開発してきた。例えば、ヨーグルト容器には、グラノーラ、乾燥フルーツ、糖菓などのような添加材料（或いは成分）を格納するための封止された区画を有する蓋が設けられている。消費者は、封止された区画を開き、食べる直前に前記添加材料を前記ヨーグルトに混ぜる。
【０００５】
飲料生産者は、香味料、ビタミン、天然材料等のような添加材料を飲料する直前に飲料のベース成分に混ぜることに関して消費者に同一の体験をさせたいと望んでいる。ボトル詰めされた飲料用の、添加材料を格納するための区画を含む、たくさんの蓋が開発されてきた。これらの材料吐出（release）蓋は、前記添加材料を吐出するための様々な機構を有する。例えば、いくつかの材料吐出蓋は、材料を放出するために、穴をあけること、切ること又は引き裂くことによって、破壊される、壊れやすいシールを含む。壊れやすいシールは、前記蓋が容器から取り外される前に、破壊されるように通常は設計されているので、前記材料放出蓋内に格納された添加材料は、表面近く又は消費者へのこぼれを最小にして、飲料のベース成分に合成される。他の材料放出蓋は、前記容器と前記添加成分を含む区画との間の開放部を封止するプランジャタイプ機構を使用する。前記プランジャを上方に動かすことにより、前記添加材料は前記飲料のベース成分に吐出される。
【０００６】
前記添加材料の前記容器への放出機構にかかわらず、消費者に高品質の製品であることを保証するために前記添加材料は前記材料放出蓋から十分にかつ迅速に放出されなければならない。十分な放出は、材料放出蓋の製造にある程度依存する。前記材料放出蓋から前記容器への前記添加成分のさえぎるもののない流れを許すために、材料放出蓋は、前記区画の開口と前記容器の本体との間に最小の障害物しかないように設計されるべきである。添加材料の粘性も、その流れに影響を与えるために、前記放出に影響を及ぼす。シロップの粘性などのような高粘性添加材料は、水の粘性などのような低粘性添加材料に比べてゆっくりした流量比を有する。材料放出蓋が詰りやすい構成であると、流量比を制御する問題は複雑である。
【０００７】
したがって、材料放出蓋から添加材料を放出するときに、そのような添加材料を容器内のベース成分に素早く混合するために十分にさらには迅速であるように、添加材料の流量比を向上するための解決策を図るという必要性が当業界には存在している。
【発明の概要】
【０００８】
簡潔に説明されるように、飲料が詰められたボトルの好ましい具体例にあって、本装置は、前述された課題を解決し、真空状態の容器中の飲料のベース成分に、優れた添加材料放出及び材料放出蓋の封止された区画内の添加材料からの分離を提供する。前記封止された区画を開放することで、吸引力が、比較的に高圧力の領域にあっては、前記添加成分を迅速に及び余すところなく、前記材料放出蓋の外に出すために、及び比較的に低圧力の領域にあっては、前記添加成分を迅速に及び余すところなく、前記容器内のベース成分に流れ込ませるように、形成される。
【０００９】
つまり、本願の特徴及び利点は、容器内に真空を形成するための蓋をする処理の間、容器の外表面に、圧力を与えることによって、容器の液体用収納部に収納された飲料のベース成分に、材料放出蓋の封止された区画内に格納されている添加材料を供給することを向上する方法を提供する能力である。
【００１０】
本願の他の特徴及び利点は、容器閉鎖装置を、蓋締め処理の間容器に圧力を効率よく供給する充填工場に提供するための能力であり、これにより封止された容器内には真空が形成される。
【００１１】
さらに、本願の他の特徴及び利点は、容器の蓋の殺菌のためのシステム及び方法を提供するための能力であり、その点で、ボトル詰め飲料の品質又は風味に何ら悪影響を与えることなく、蓋締め処理前の蓋の清潔度を保証する。
【００１２】
本願のこれらの、さらには他の特徴及び利点は、添付する図面を参照した、以下の発明の詳細な説明及び特許請求の範囲を読んだ後に、当業者にとってより明らかになるであろう。
【００１３】
したがって、本出願は、以下の図面と連携している詳細な説明の熟考をとおして、より理解されるであろう。また、図面及び詳細な説明にあっては、同一の構成には様々な図面を通じて同一の符号を示す。
【図面の簡単な説明】
【００１４】
【図１Ａ】本発明の容器の側面図である。
【図１Ｂ】本発明のボトル詰めされた飲料の側面図である。
【図２】図１Ａの容器の線２−２での断面図である。
【図３】図１Ｂのボトル詰めされた飲料の側面図である。
【図４】本発明の装置及び方法で用いられる蓋締め星型輪（歯車）の概略図である。
【図５】本発明の装置及び方法に係る容器蓋締め装置に入る容器の斜視図である。
【図６】本発明の装置及び方法で用いられる調整可能なレールの斜視図である。
【図７】本発明の装置及び方法に係る装置を締める容器の調整可能なレールに接触する容器を示す図である。
【図８】容器の上部が封止された材料放出蓋の一部切り欠きを示す図である。
【図９】後述の図１０及び１１の蓋処理機構の使用のための調節ポンプ及び処理格納ユニットの外観図である。
【図１０】本発明の装置及び方法で用いられる蓋処理機構の外観図である。
【図１１】蓋がされた処理を示す、図１０の蓋処理機構の側部を示す図である。
【発明を実施するための形態】
【００１５】
ここに提示される図面は、請求する発明について重要と思われるものである場合を除いて、単に図示の目的を意図したものであること、さらには図示した構成の正確な記述の任意の部分または全てについて発明を制限することを所望も意図もしていないことに留意されたい。
【００１６】
法律によって広く範囲が認められるように、本発明は発明者James Clayton Bell 及び出願人Georgia Crown Distributing Co.のために、２００８年４月１６日に、特許協力条約に基づいて米国に提出された、「添加成分放出が向上された材料放出蓋付きの飲料が収納されたボトル及び放出を向上する方法並びにその製造方法」（A PACKAGED BOTTLE BEVERAGE HAVING AN INGREDIENT RELEASE CLOSURE WITH IMPROVED ADDITIVE RELEASE AND METHOD AND APPARATUS THEREFORE）という発明の名称の、シリアル番号が１２／１０３，９１６である非仮出願の優先権及び利益を主張する。
【００１７】
図１−１１に示される本発明の装置及び方法の好ましい具体例の説明にあっては、明瞭にすることの目的のために専門的な用語が用いられている。しかし、開示は、そこで選択される前記専門用語に限定されることを意図しているものではなく、さらに各専門部品は同様の目的を達成するための同様の方法にて動作する全ての技術的な等価物を備えるのを理解されたい。
【００１８】
本発明は、消費の直前に、新しく混合された飲料を消費者に提供する、添加材料を収納する材料放出蓋の特徴を有する、飲料が詰められたボトルの性能に関する。そのような飲料詰めされたボトルの品質性能を保証するために、吐出成果は材料放出蓋からの添加材料の十分なかつ迅速な放出という結果につながるべきである。材料放出蓋の構造にかからわず、この成果は、本発明の好ましい具体例にて提供されて達成される。飲料が詰められたボトルは、（ａ）ベース成分と添加材料とからなる飲料と、（ｂ）材料放出蓋を受容するための開口を有する容器と前記ベース成分を収納する液体用収納部と、（ｃ）前記添加材料を格納する封止されている区画、前記添加材料を分配するための放出機構及び前記液体用収納部の開口に取り付けるための取り付け部を有する材料放出蓋と、飲料が詰められたボトルを形成するための前記液体用収納部の開口に取り付けられる蓋の取り付け手段とを備え、前記ベース成分は真空状態の前記液体用収納部に収納される。動作中、前記液体用収納部中の真空状態は、ベース成分と材料放出蓋内の添加材料との間に異なる圧力を形成する。放出機構を用いている材料放出蓋からの添加材料の放出により、さらには飲料が詰められたボトルを飲むために空ける前に、新鮮な混合飲料をベース成分又は添加材料のこぼれも漏れもなく、提供するために、前記真空は十分にかつ迅速に前記材料放出蓋の外に前記添加材料を注ぐか又は抜き出す。比較的に高い圧力領域、すなわち材料放出蓋内の添加材料と、比較的に低い圧力領域、すなわち液体用収納部の真空状態のベース部材との間の圧力差は、前記収納部内の前記ベース成分の中に前記材料放出蓋から前記添加材料を注ぐか又は抜き出すために、前記材料放出蓋と前記収納部との間に吸引力をもたらす。さらに、前記添加材料は、材料放出蓋から好ましく効率的に放出され、それによって材料放出蓋には最小の残余添加成分が残るだけである。
【００１９】
前記飲料のベース成分は、水、茶、ジュース、エネルギードリンク等である。前記添加材料は、一つ以上の香味料、ビタミン、エネルギー強化剤、自然材料等であり、液状又は粉状形態である。前記容器は、金属、ガラス、プラスチック等である。好ましくは、前記容器は、一般的にはＰＥＴといわれている、ポリエチレンテレフタレートのようなフレキシブル材料よりなる。前記材料放出蓋は、前記添加材料を収納するための封止された区画と、プランジャ、もろいシール等のような放出機構とを有する任意の構造であってもよい。さらに、前記材料放出蓋は、スポーツタイプの蓋であってもよい。前記取り付け手段は、外部ガスの侵入を防ぐための効率的なシールを提供する、クリンプトシール(crimped seal)、スレッドシール(threaded seal)などであってもよく、これらによって、収納容器内の真空は削減されることはない。前記真空は、前記液体用収納部の外表面への圧力の印加、真空ポンプ、真空チャンバなどによって形成される。
【００２０】
図１Ａ及び１Ｂを参照すると、飲料充填ボトル１０は、収納容器１１及び材料放出蓋１２を備えている。収納容器１１は好ましくは、ポリエチレンテレフタートのようなフレキシブルプラスチックで作られている。収納容器１１は、飲料のベース成分を格納するための液体用収納部１３と、材料放出蓋１２を受容するための開口１４を有する。図１Ｂ及び図８に最良にみられるように、材料放出蓋１２は、封止区画部１５、放出機構１６及び噴出し口２０を有するスポーツ蓋であることが好ましい。図１Ａは、ベース成分が満たされてはいるが、材料放出蓋１２が取り付けられる前の容器１１を示す。液体用収納部１３は、図２に示すように、図１Ａの線２−２に沿ったラベルパネル領域１７にあって円形の断面形状を有している。図１Ｂは、材料放出蓋１２が真空状態の容器１１に取り付けられた、飲料が詰められたボトル１０を示す。真空状態にあって、本発明の一つの方法は、後述するように、ラベルパネル領域１７の断面形状は、真空圧力によって、円形断面形状から図３に示されるように、図１Ｂの線３−３に沿った四角形断面形状のような他の形状に変形されてもよい。さらにまた、前記断面形状は、楕円のように、様々な形状の一つであってもよい。
【００２１】
使用にあって、消費者は放出機構１６を作動するため、さらには前記添加材料を前記飲料のベース（基本）成分に供給するために噴出し口２０を引っ張ることによって材料放出蓋１２を起動させる。本技術分野にあって有効である他の材料放出蓋により、消費者は放出機構の機械的な機能に従い、捻ること、圧力を加えること等によって前記放出機構を起動させてもよい。
【００２２】
一具体例にあって、１５〜２０グラムのＰＥＴから製造される０．５リットルの軽量容器１１は、線２−２に沿ったラベルパネル領域での真空前の６．３５ｃｍの直径を有する。真空状態にあって、その直径は、５．８４から４．５７ｃｍの間に、材料放出蓋１２における添加材料の粘性に応じて低減される。相対パーセンテージを用いれば、飲料が詰められたボトル１０の液体用収納部１３の直径は、材料放出蓋１２を容器１１に取り付ける前の液体用収納部１３の直径のオリジナルサイズの９５％〜６５％であり、好ましくは、９２％〜７２％である。円の直径６．９２ｃｍの０．７リットル容器では、飲料が詰められたボトル１０の直径は好ましくは６．３５から４．８２ｃｍに設定されるであろう。
【００２３】
ＰＥＴ２０−２５グラムから製造される０．５リットル容器１１を用いるとき、液体用収納部１３の壁の厚さはより厚くなる。よって、前記液体用収納部１３の断面形状は、正方形というよりも楕円形となる。液体用収納部１３の結果的な断面形状は、後述するように蓋をする工程の間に適用される圧力量に依存する。容器１１がフレキシブルプラスチックにて形成される汎用にあって、真空は液体用収納部１３の外表面に適用される圧縮の使用によって形成される。代替的に、前記真空は、フレキシブル及び剛性容器などに効果的である真空ポンプ又は真空チャンバの使用によって形成される。
【００２４】
他の好ましい具現化例にあって、材料放出蓋の封止される区画内に収納される添加材料の飲料容器内の飲料が詰められたボトルの液体用収納部内のベース成分への分配を向上するための方法は、容器、蓋及び真空手段を提供するステップを備える。前記容器は、蓋を受容するための開口（ｉ）と、前記添加材料を吐出するための放出機構（ｉｉ）と、前記容器の前記開口への取り付け手段（ｉｉｉ）とを備える。好ましくは、一つの動作にて、前記蓋は前記容器の開口に取り付けられ、さらに前記真空は、真空状態の容器に飲料が詰められたボトルを形成するための真空手段によって形成される。好ましくは、前記容器は、フレキシブル容器であり、さらに前記真空手段は前記容器の前記液体用収納部の外表面に圧縮を適用することによって提供される。前記圧縮は、好ましくは初期接触点のポイントから前記容器と最終的に接触するポイントに、減少する円弧を有する調整可能なレールによって、前記液体用収納部の外表面に適用される。プランジャ、突起、反対のプレート、ローラ等の他の構造は、前記液体用収納部の外表面に適用されうる。代替的に、前記真空手段は、真空ポンプ又は真空チャンバによって提供される。
【００２５】
図４−７を参照すると、本発明の他の好ましい具現化例が飲料の詰められたボトルの充填工場における容器閉鎖装置４０として示されている。容器閉鎖装置４０は、星形蓋締め（capper star）４１、回転可能な蓋締め機構(capper mechanism)４２（部分的に示される）、及び星形蓋締め部４１の内に容器１１を保持するために、星形蓋締め部４１から半径方向の外部に向って離隔された固定のリアガイド４３を備える。他の星形の回転板（輪）機構は、星形蓋締め部４１の中及び外の容器１１の動きを支持するために最大の効果をもたらすように位置付けられる。星形伝達部（transfer star）４４は、星形蓋締め部４１にかみ合わされて、飲料が詰められている容器１１を入り口４５にて星形蓋締め部４１に供給する。星形放出部(discharge star)４６は、星形蓋締め部４１にかみ合わされて、星形蓋締め部４１の出口４７から封止された容器１１ａを伝達する。星形伝達部４４及び星形放出部４６の両方は、容器を収納するために適合されている複数のポケットを有する回転可能な星形輪機構を有する。
【００２６】
星形蓋締め部４１は、組み立てライン製造に供給される容器１１を受容するために適応される複数の蓋締めポケット(capper pockets)４８を有する回転可能な星形車輪である。星形蓋締め部４１の上に重なっているのは、星形蓋締め部４１の車輪４９と同期して回転するタレット形蓋締めヘッド部のような蓋締め機構４２である。蓋締め機構４２は、図１Ａに示されるような、容器１１の螺子山が付けられたネック１８に材料放出蓋１２を取り付けるために設計された、複数の蓋締めヘッド５０を有する。図７によりよく示されるように、蓋締めヘッド５０は、それによって蓋締めヘッド５０が容器１１の螺子山付きネック１８上に材料放出蓋１２を締め付けるために値を制限する所定の力及びトルクにて軸方向下向きに回転及び駆動されるクラッチ機構を収納しうる。固定されるリアガイド４３は、星型蓋締め部４１の入り口４５及び出口４７の間に伸びている。固定されるリアガイド４３は、星型蓋締め部４１から半径方向に外側に向かって離隔され、さらに星形蓋締め部４１が回転するときに蓋締めポケット４８内に蓋締め機構４２と軸整列して容器１１を保持するために機能する。蓋締め機構４２は、プラスチックＰＥＴ容器のような、容器１１の螺子山付きネック１８上への螺子溝を有するタイプの材料放出蓋１２を取り付けるために好ましくは用いられる。図１Ａに示される、プラスチック容器１１は、好ましくは螺子山が付けられたネック１８から急激に外に向かって伸び、さらに螺子山付きネック１８の下に離隔されて配置されるフランジ１９を有するタイプである。
【００２７】
容器閉鎖装置４０の動作にあって、満たされた容器１１は星形伝達部４４によって星形蓋締め部４１の入り口４５への第１方向に回転される。星形蓋締め部４１は、星形伝達部４４の回転方向の反対方向に回転している。材料放出蓋１２は満たされた容器１１に好ましくは、蓋締め機構４２の図８に示される、供給チャンネル１００を通して供給されるが、蓋締め機構４２に入るよりも前に螺子付きネック１８上にすでに配置されてもよい。蓋締め機構４２は、飲料が満たされた容器１１に材料放出蓋１２を取り付けるための回転手段を有する。上部を材料放出蓋１２が締められて封止された容器１１ａは、星形伝達部４４と同じ方向に回転する星形放出部４６への出口４７にて星形蓋締め部４１の外に回転され、さらに、そこからさらに他の処理にガイドするか、又は他の機器を扱うコンベヤに回転される。
【００２８】
容器閉鎖装置４０に入ると、容器１１は星形蓋締め部４１の特別に設計された蓋締めポケット部４８内に受け取られる。蓋締めポケット部４８は、好ましくは半円形状であり、さらにそこに収まる容器１１の径と同じ径である。図５により良く示される、容器１１は好ましくは、螺子山付きネック１８にて保持されさらにぶら下げられる。螺子山付きネック１８は、フランジ１９の下側が蓋締めポケット４８の上部の出っ張り５１の上にあたって静止する。容器１１の前記パネル１７は、容器１１を蓋締め動作の間、垂直に位置合わせして保持するために、星形蓋締め部４１の固定されたリアガイド４３によって支持される。
【００２９】
調整可能なレール６０は、図６に示すように、近接の端部６２、遠接の端部６３、カーブ状の内部壁６４及びストレイト状の外部壁６５を持つ弧状の部材６１を有する。固定固締手段６６は、遠接の端部６３に配置され、さらに調整固締手段６７は近接の端部６２に配置される。図４に示すように、調整可能なレール６０は、固定リアガイド４３に相対的に半径を減少させた孤により、固定リアガイド４３に取り付けられる。前記半径は、星形蓋締め部４１の入り口４５近くの固定固締手段６６を締着することによって、さらには星形蓋締め部４１の出口４７近くの調整可能固締手段６７を締着することによって減少される。固定固締手段６６は、好ましくは概ね同一の径の穴を通過するナット及びボルトである。調整可能な固締手段６７は好ましくは、固締されたリアガイド４３の半径に対して減少する半径にて、弧状部材６１の調整を行わせるのに、スロットを通過するナット及びボルトである。弧状部材６１の半径を調整することは、異なるサイズの容器１１を用いるために、さらには容器１１に適用される圧縮の変動の必要性のために所望される。この分野にて周知の如何なる固締手段でも、調整可能な固締手段６７又は固定された固締手段６６の何れかに使用されうる。
【００３０】
図４及び図７を参照すると、飲料で満たされた容器１１が星形蓋締め部４１にて回転すると、調整可能レール６０がポイントＡで飲料が満たされた容器１１に接触してくる。図７に示すように、星形蓋締め部４１による飲料の満たされた容器１１の回転により、満たされた容器１１の外側の壁２１上に圧縮を及ぼすために、弧状部材６１の半径は調整可能レール６５が原因となって減少する。圧縮が加えられている間、満たされた容器１１は、真空状態にて飲料が詰められたボトル１０を形成するために、材料放出蓋１２が蓋締めされる。飲料が詰められたボトル１０は、ポイントＢで調整可能なレール６０を外れ、さらに星形放出部４６への出口４７に至るまで星形蓋締め部４１内にて回転を継続する。出口４７に至ると、飲料が詰められたボトル１０の容器１１は、そこにあって形成された真空に適応する形状に変形される。内部の真空がない飲料詰めされた標準的なボトルは、図２に示すように、円形の断面積形状を有している。飲料が詰められたボトル１０の容器１１内の内部真空がネガティブ圧力を働かせると、容器１１の形状は好ましくは図３に示すように四角の断面形状に調節される。
【００３１】
本発明の一具現化例にあって、材料放出蓋１２は、螺子山が付けられたネック１８に配置される以前に、好ましくはチャンネル１００に供給される間に、殺菌されている。図１０及び１１に全体的に描かれるように、材料放出蓋１２は供給チャンネル１００の蓋シュート１０２によって蓋締め機構４２に搬送される。この好ましい具体例、及び図９に代表的に描かれているように、供給チャンネル１００は流量調節ポンプシステム１０４及びストレージユニット１０５に適合され、そこにあって一つ以上のスプレイノズル１０６は、殺菌剤１０８の流量調整された照射量を材料放出蓋１２に噴霧するために蓋シュート１０２の近くに設けられる。この好ましい具体例によれば、殺菌剤１０８は、ペルオキシ酢酸（peroxyacetic acid, PAA）を有してなる。しかし、同様に高酸化ポテンシャルを有する他の抗菌性の薬剤、及び／又は他の同様な好ましい食品安全の特性が代替的に用いられる。螺子山付けされたネック１８を配置する直前の材料放出蓋１２への一つ以上の照射ノズル１０６による流量調整された殺菌剤１０８の供給は、効果的に材料放出蓋１２を殺菌し、さらに飲料詰めされたボトルの風味に影響を与えることなく、飲料が詰められたボトル１０内のいかなる望まれないプロジェネレイト（progenerate）の包含を防ぐ。オゾン処理された水槽のような、従来から知られている蓋殺菌システムは、最終的に採用されなかったが、空の蓋からの埃の除去ということに限って成功していた、それにもかかわらず、そのようなシステムは、材料放出蓋１２の組み立てを完成するための収納物質及び飲料詰めされたボトル１０の蓋締め時の直前の材料放出蓋１２の添加材料に不利に影響を与えるであろう。
【００３２】
このような本発明の具体的な説明により、当業者は、本発明の開示は単なる具体例であり、様々な変更、追加、及び改善が本発明の範囲及び思想内で成されることを理解すべきである。すなわち、本発明は、ここにおいて示された詳細な説明により限定されるものではない。
【図１Ａ】
0005410505.tif 000002
【図１Ｂ】
0005410505.tif 000003
【図２】
0005410505.tif 000004
【図３】
0005410505.tif 000005
【図４】
0005410505.tif 000006
【図５】
0005410505.tif 000007
【図６】
0005410505.tif 000008
【図７】
0005410505.tif 000009
【図８】
0005410505.tif 000010
【図９】
0005410505.tif 000011
【図１０】
0005410505.tif 000012
【図１１】
0005410505.tif 000013